(57)【要約】【課題】  耕耘部のメンテナンス時に簡便にロータリカバーを保持しうるロータリ耕耘作業機のカバー構造を提供すること。【解決手段】  耕耘部１３のメンテナンス時などにロータリカバー１４を上方に移動させた状態で、ロータリカバー１４と、チェーンケース７又はチェーンケースと連設された連設部材１６とを係止させる係止手段を設ける。係止手段としては、ロータリカバー１４と、チェーンケース７やチェーンケースと連設された連設部材１６とにそれぞれ孔部１００・１０１を設け、該孔部に棒体を挿通させて係止する構成が簡便である。【選択図】    図２
2005034068.tif 000002
【特許請求の範囲】
【請求項１】
チェーンケースに内装されたチェーン伝動機構に連結されて回転するロータリ耕耘爪軸に耕耘爪を取付けて耕耘部を構成し、この耕耘部の上方を覆うロータリカバーが上下に移動可能な構成において、該ロータリカバーと、チェーンケース又はチェーンケースと連設された連設部材とに、該ロータリカバーを上方に移動させた状態で係止させる係止手段を設けたことを特徴とするロータリ耕耘作業機のカバー構造。
【請求項２】
前記係止手段が、前記ロータリカバーと、チェーンケース又はチェーンケースと連設された連設部材とに、棒体を挿通可能な対応する少なくとも１組の孔部を設けて構成される請求項１に記載のロータリ耕耘作業機のカバー構造。
【請求項３】
前記孔部が前記ロータリカバーを上方に移動させる際に、該移動経路中において棒体を挿通可能になるように配置した請求項２に記載のロータリ耕耘作業機のカバー構造。
【発明の詳細な説明】
【技術分野】
【０００１】
本発明は、ロータリ耕耘作業機のカバー構造に関し、特にメンテナンス時にカバーを好適に保持しうる技術に関するものである。
【背景技術】
【０００２】
従来よりロータリ耕耘作業機は、チェーンケースに内装されたチェーン伝動機構に連結されて回転するロータリ耕耘爪軸に耕耘爪を取付けて耕耘部を構成し、この耕耘部の上方を覆うロータリカバーを備えたものがある。
そして、例えばロータリ部のメンテナンス時に好適なようにロータリカバーを上下に揺動可能に構成し、メンテナンス時には該カバーを上方に引き上げて作業を行うようにしている。
【０００３】
このような従来の構成では、特にロータリケース側において引き上げたロータリカバーをその状態で保持しうる手段を持たないため、手で押さえたりワイヤ等で結びつけたりしながら作業を行わなければならなかった。また、引き上げるためにもロープで引き上げてメインフレームに固定するか、リフトで釣り上げる必要があった。
【発明の開示】
【発明が解決しようとする課題】
【０００４】
本発明は、上記に鑑みてなされたもので、耕耘部のメンテナンス時に簡便にロータリカバーを保持しうるロータリ耕耘作業機のカバー構造を提供することを目的とする。
【課題を解決するための手段】
【０００５】
上記課題を解決するために、請求項１に記載の発明ではチェーンケースに内装されたチェーン伝動機構に連結されて回転するロータリ耕耘爪軸に耕耘爪を取付けて耕耘部を構成し、この耕耘部の上方を覆うロータリカバーが上下に位置調整可能な構成において、該ロータリカバーと、チェーンケース又はチェーンケースと連設された連設部材とに、該ロータリカバーを上方に移動させた状態で係止させる係止手段を設けたことを特徴とするロータリ耕耘作業機のカバー構造を提供する。
【０００６】
請求項２に記載の発明では前記係止手段が、前記ロータリカバーと、チェーンケース又はチェーンケースと連設された連設部材とに、棒体を挿通可能な対応する少なくとも１組の孔部を設けて構成されるロータリ耕耘作業機のカバー構造を提供する。
【０００７】
請求項３に記載の発明では前記孔部が前記ロータリカバーを上方に移動させる際に、該移動経路中において棒体を挿通可能になるように配置したロータリ耕耘作業機のカバー構造を提供する。
【発明の効果】
【０００８】
本発明における請求項１に記載の技術によると、耕耘部のメンテナンス時等にロータリカバーを上方に移動させた状態で係止手段によって該ロータリカバーを保持させることができるので、別にロータリカバーを持ち上げたり押さえたりする部材を必要とせず、簡便にメンテナンス等の作業を行うことができる。
【０００９】
請求項２に記載の技術によると、ロータリカバーを上方に移動させて孔部に棒体を挿通させるだけで該位置において保持することができるので操作性に優れるとともに、生産コストが低廉であって簡便にメンテナンス等の作業を行うことができるロータリ耕耘作業機のカバー構造を提供することができる。
また、孔部を設ける構成は、既存のカバーにおいても孔部を穿設するだけで適用することができるので、広範なロータリ耕耘作業機において本発明の実施を行うことができる。
【００１０】
請求項３に記載の技術によると、リフト等でロータリカバーを釣り上げなくとも上方に移動させる経路において自然に孔部の位置が合うため、該位置で容易に棒体を挿通することができ、作業性の向上に寄与する。
【発明を実施するための最良の形態】
【００１１】
以下、本発明の実施の形態を図面を参照して説明する。本実施の形態は、サイドドライブ式のロータリ耕耘作業機に適用されている。図２に示すロータリ耕耘作業機の右側面図を用いて、本発明を実施する最良の形態を説述する。
ロータリ耕耘作業機のロータリ耕耘爪軸９に、複数の耕耘爪１２が放射状に取り付けられて耕耘部１３が構成されている。耕耘部１３の直上方には、この耕耘部１３の上方を覆うロータリカバー１４が設けられている。また、ロータリカバー１４は、その両端において立設した両側板部１４ａを備えている。本発明において、ロータリカバー１４は前記ロータリ耕耘爪軸９を中心として回動可能であり、メンテナンス時などに後方に向けて回動することにより、該ロータリカバー１４が上方に移動し、耕耘部１３に作業しやすいように構成している。
また、耕耘部１３の前方を覆うフロントカバー１５が、ステー１６にボルト締結により取付けられると共に、該ステー１６はチェーンケース７にボルト固定１６ａ・１６ｂされ、これらはチェーンケース７と連設された連設部材として構成している。
さらに、ロータリカバー１４の後方には、耕耘部１３の後方を覆うリヤカバー１０が、ヒンジ１７により上下方向に揺動可能に取付けられている。
【００１２】
本発明において、チェーンケース７のフロントカバーステー１６に孔部１００を設ける一方、ロータリカバー１４の側板部１４ａにも孔部１０１を設けている。これらは、ロータリカバー１４が上方に移動した時に丁度位置が合致するように設けられており、該両孔部１００・１０１にボルト等の棒体を挿通することで、ロータリカバー１４を保持できるようになっている。
このように、本発明はチェーンケースの連設部で立設したステー１６と、ロータリカバーの端部に立設した側板部１４ａとに孔部１００・１０１を設けたことで、特に側方からの操作性に優れて棒体の挿通が行いやすく、作業性の向上を図るものである。
【実施例１】
【００１３】
本発明の第１の実施例を、図１に示すロータリ耕耘作業機の斜視図及び、図２に示す同右側面図、図３に示す同左側面図を用いて、ロータリ耕耘作業機の全体構成から説明する。
ロータリ耕耘作業機は、トラクタの後方に、トップリンク１本、ロワリンク２本を持つ３点リンク機構等の連結機構を介して昇降及び左右傾動自在に装着されるもので、中央上部に配置されたベベルギヤボックス１の上方にマスト４が設けられ、ベベルギヤボックス１から左右両側方（図の紙面に垂直方向）に延出されたメインビーム３の各中途部には支持プレート５が固設されて、マスト４の前端に図示省略のトップリンクの後端が枢支され、各支持プレート５の前端に図示省略のロワリンクの後端がそれぞれ枢支されている。
【００１４】
トップリンク、各ロワリンクは油圧装置に連係しており、ロータリ耕耘作業機は油圧装置によって昇降作動されるようになっている。各支持プレート５の後端にはデプスフレーム６が枢支されている。また、トラクタのＰＴＯ軸（動力取出し軸）が図示省略のユニバーサルジョイント付ドライブ軸を介してベベルギヤボックス１に突設された入力軸２に連結され、ＰＴＯ軸からの動力が入力軸２に伝動されるようになっている。
【００１５】
ベベルギヤボックス１内にはベベルギヤ群が設けられ、ベベルギヤボックス１から一側方に延出したメインビーム３の端部にチェーンケース７が取付けられ、他側方に延出したメインビーム３の端部にはサイドサポータ８が取付けられている。そして、チェーンケース７の下部とサイドサポータ８の下部との間に、それぞれ軸受を介してロータリ耕耘爪軸９が回動自在に軸架されている。
【００１６】
チェーンケース７には、入力スプロケット、チェーン及び出力スプロケット等からなるチェーン伝動機構が内装され、その入力スプロケットはベベルギヤ群のギヤ出力を伝動する伝動軸１１に固定され、出力スプロケットはロータリ耕耘爪軸９に連係する出力スプロケット軸に固定されている。
このようにして、ロータリ耕耘爪軸９は、トラクタのＰＴＯ軸からの動力により、入力軸２、ベベルギヤ群、伝動軸１１及びチェーン伝動機構等を介して回転駆動されるようになっている。そして、このロータリ耕耘爪軸９に、複数の耕耘爪１２が放射状に取り付けられて耕耘部１３が構成されている。
【００１７】
前記ロータリカバー１４の後部上面にはボルト１８締結によりブラケット１９が斜め後方上方に向けて取付けられ、このブラケット１９の上端部、即ち、当該ブラケット１９及びロータリカバー１４等を介して作業機本体側に設けられた摺動部２０とリヤカバー１０の後方寄りの上面側との間に、ハンガーロッド２１が、リヤカバー１０を釣支するように設けられている。ハンガーロッド２１の一端はリヤカバー１０の後方寄りの上面側に枢支され、他端側は摺動部２０に摺動自在に支持されており、リヤカバー１０と連動してハンガーロッド２１が摺動する。
【００１８】
さらに、本実施例ではロータリカバー１４は回動ハンドル４７を回転操作することによって上下に移動する。図４及び図５は本機構を説明するための斜視図である。
図４に示すように、スクリューリテーナ４０を回動可能に支持するヒンジパイプ４１を、マスト４の左右側板２２・２３で両持ち構造で溶接固定する。すなわち、右側板２３を貫通して、左側板２２内側に当接させ、ヒンジパイプ４１と左右側板２２・２３との接触部を溶接固定する。これによって、補強部材を必要とせず、しかも簡易な構成を取ることができる。さらに、側板間に該ヒンジパイプ４１が横架するため、マスト４自体の剛性の向上が図られ、補強板を必要としないため、部材の簡素化が図られる。
【００１９】
図５に図示するように、上記に示したリテーナ４０を中途に付設し、回動ハンドル４７操作によって伸縮するスクリュウパイプ４８はロータリカバー１４上に付設したステー４９にヒンジピン５０で回動自在に枢支されている。
本実施例ではヒンジピン５０とスクリュウパイプ４８とは、ロールピン５１を嵌挿して固定している。これによって、ロールピン５１によりスクリュウパイプ４８とヒンジピン５０が固定されてガタを生じないため軸孔の変形や破損を防止することができる。また、スクリュウパイプ４８よりもステー４９の板厚は厚くとることができるため、ヒンジピン５０を枢支するステー４９の枢支部にガタを持たせれば従来と同様にスムーズな回動を実現する。
【００２０】
また、本発明ではサイドサポータ８においても、前記チェーンケース７側と同様にロータリカバー１４を上方に移動した状態で保持しうる孔部１０２・１０３を設けている。すなわち、サイドサポータ８に孔部１０２を、ロータリカバーの側板部１４ａに孔部１０３を設け、ロータリカバー１４が上方に移動した時に、両孔部１０２・１０３の位置が合致してボルト等の棒体を挿通可能にしている。
このとき、両孔部１０２・１０３の位置が合致する時に、前記チェーンケース７における両孔部１００・１０１も合致するようになっているので、ロータリカバー１４は両側において好適に保持することができる。
【００２１】
さらに、本実施形態では回動ハンドルを回すだけで両孔部の位置が合うため、従来のようにリフト等でロータリカバーを釣り上げる必要がなく、良好な作業性を得ることができる。
上記のように、スクリューリテーナを採用しているため、力を要することなく操作可能であり、安全性も極めて高い。ロータリカバー１４のリフト量は回動ハンドル４７の回動量により自在に調整することができ、孔部の位置合わせも簡便に行うことが可能である。
【００２２】
なお、本発明の実施においては必ずしも孔部に棒体を挿通する構成に限らず、掛け金などの係止部材をロータリカバー又はチェーンケース等の一方に配設すると共に、他方に対応する係合部材を配設し、ロータリカバーを係止する手段を設けてもよい。
【００２３】
また、上記実施例では孔部はチェーンケース７の連設部であるフロントカバー１５のステー１６に設けているが、本発明の実施においてはチェーンケース７に直接孔部を穿設してもよい。例えば、固定用ボルト１６ａ・１６ｂのボルト孔間と、ロータリカバーの側板部１４ａに設けてもよいし、チェーンケース７の前側ではなく、後側において棒体を挿通するように構成してもよい。
用いる棒体は保持用に別途用意してもよいが、例えば左右の回動ヒンジカバー部のボルトを外してロータリカバー１４を上方に移動させ、その状態で該ボルトを保持用に挿通することもできる。
【実施例２】
【００２４】
本発明の第２の実施形態として、回動ハンドル４７の代わりに図６に示すようなリフトアップレバー６０を配設してロータリカバー１４の上下移動を行わせることもできる。すなわち、リフトアップレバー６０は、マスト４及びロータリカバー１４上面に付設したステー６１の間に懸架したアーム６２に支点６３で回動自在に支持され、補助アーム６４によりリフトアップレバー６０を引き上げるとテコの作用により小さな力でロータリカバー１４を上方に移動させることができる。
本実施形態によっても、リフトアップレバー６０の比較的大きな動きで精度よく孔部１００・１０１の位置合わせを行うことができるため、ロータリカバー１４の保持が効率良く行える。
【実施例３】
【００２５】
さらに、本発明の第３の実施形態として、回動ハンドル４７の代わりに図７に示すようなラチェット機構を用いたリフトアップレバー７０を用いることもできる。本機構では、リフトアップレバー７０を上下に揺動操作（図中矢印参照）すると、マスト４から延設したアーム７１に軸支されるラチェット７２を爪７３が順に回転させる。そして、ラチェット７２の回転軸に一端を巻回したワイヤ７４がステー７５と連結しており、該ステー７５を固設しているロータリカバー１４を上方に移動させる。
本実施形態によっても、リフトアップレバー７０は小さな力で容易に操作可能であると共に、精度よく孔部１００・１０１の位置合わせを行うことができるため、ロータリカバー１４の保持が効率良く行うことができる。
【図面の簡単な説明】
【００２６】
【図１】本発明に係るロータリ耕耘作業機の斜視図である。
【図２】同、左側面図である。
【図３】同、右側面図である。
【図４】本発明に係るスクリューリテーナを示す斜視図である。
【図５】本発明に係るスクリューパイプを示す斜視図である。
【図６】本発明の第２の実施形態にかかるロータリ耕耘作業機の左断面図説明図である。
【図７】本発明の第３の実施形態にかかるロータリ耕耘作業機の左断面図説明図である。
【符号の説明】
【００２７】
１    ベベルギヤボックス
２    入力軸
３    メインビーム
４    マスト
７    チェーンケース
８    サイドサポータ
９    ロータリ耕耘爪軸
１０    リヤカバー
１１    伝動軸
１２    耕耘爪
１３    耕耘部
１４    ロータリカバー
１４ａ    両側部
１５    フロントカバー
１６    フロントカバーステー
１９    ブラケット
２０    摺動部
２１    ハンガーロッド
４０    スクリューリテーナ
４７    回動ハンドル
１００    ステーの孔部
１０１    ロータリカバーの孔部
【図１】
2005034068.tif 000003
【図２】
2005034068.tif 000004
【図３】
2005034068.tif 000005
【図４】
2005034068.tif 000006
【図５】
2005034068.tif 000007
【図６】
2005034068.tif 000008
【図７】
2005034068.tif 000009